(57)【特許請求の範囲】
【請求項１】
使用者によって登録された表示内容及びその番号を複数記憶し、予め待受状態時に表示する表示内容を前記登録された表示内容の番号により選択しておき、待受状態になると、前記記憶された表示内容の中から待受状態の表示内容として前記番号により予め選択されている表示内容を表示部に表示することを特徴とする無線通信装置の待ち受け表示方法。
【請求項２】
請求項１記載の無線通信装置の待ち受け表示方法において、
上記表示内容と上記番号とを対応付けて記憶部の表示内容テーブルに記憶する登録処理と、
待受時に表示する表示内容の番号が選択入力されると、当該表示内容の番号を記憶部の表示番号エリアに格納する選択処理と、
上記待受状態になると、前記表示番号エリアに格納されている番号に対応する表示内容を前記表示内容テーブルから読み出して表示部に表示する表示処理とを有することを特徴とする無線通信装置の待ち受け表示方法。
【請求項３】
登録する表示内容及びその番号を入力すると共に複数登録されている表示内容から待受状態時に表示する表示内容を番号により選択する入力部と、
入力された表示内容及びその番号を複数記憶する記憶部と、
表示内容を表示する表示部と、
待受状態になると、前記記憶部の表示内容から待受状態の表示内容として前記入力部で選択された番号によって予め選択されている表示内容を前記表示部に出力する制御部とを有することを特徴とする無線通信装置。
【請求項４】
記憶部は、登録された表示内容及びその番号を記憶する表示内容テーブルと、待受時に表示する表示内容の番号を格納する表示番号エリアとを備えるものであり、
制御部は、入力部から登録する表示内容とその番号が入力されると、当該表示内容とその番号とを対応付けて前記表示内容テーブルに登録し、前記入力部から待受時に表示する表示内容の番号が選択入力されると、当該表示内容の番号を前記表示番号エリアに格納し、待受状態になると、前記表示番号エリアに格納されている番号に対応する表示内容を前記表示内容テーブルから読み出して表示部に出力することを特徴とする請求項３記載の無線通信装置。
【発明の詳細な説明】
【０００１】
【発明の属する技術分野】
本発明は、表示部を有する無線通信装置における待ち受け表示方法に係り、特に使用者によって登録された表示内容を表示できる無線通信装置の待ち受け表示方法及び無線通信装置に関する。
【０００２】
【従来の技術】
まず、無線通信装置とは、例えば、携帯電話機、簡易型携帯電話機（Ｐｅｒｓｏｎａｌ  Ｈａｎｄｙ−ｐｈｏｎｅ  Ｓｙｓｔｅｍ：ＰＨＳ）、トランシーバ、ページャ等の携帯型の無線通信装置のことである。
【０００３】
従来の無線通信装置における待ち受け表示方法について、図５を使って説明する。図５は、従来の無線通信装置の表示部における待ち受け表示の表示例を示す説明図である。従来の無線通信装置における第１の待ち受け表示方法は、図５（ａ）に示すように、電波等の状態表示のみを行うものであり、第２の待ち受け表示方法は、図５（ｂ）に示すように、状態表示と時計表示を行うものであり、第３の待ち受け表示方法は、図５（ｃ）に示すように、状態表示と予め定められたメッセージ（例えば、「ＨＥＬＬＯ  ＰＬＥＡＳＥ  ＣＡＬＬ  」等）の表示を行うものであった。
【０００４】
【発明が解決しようとする課題】
しかしながら、上記従来の無線通信装置の第１の待ち受け表示方法では、表示可能なスペースが空いており、表示スペースが有効に利用されていないという問題点があった。
【０００５】
また、第２、第３の待ち受け表示方法では、表示する内容が決められており、使用者によっては、必要がない表示であるという問題点があった。
【０００６】
本発明は上記実情に鑑みて為されたもので、待受時に使用者によって登録された表示内容を表示することによって、表示スペースを有効に利用できる無線通信装置の待ち受け表示方法及び無線通信装置を提供することを目的とする。
【０００７】
【課題を解決するための手段】
上記従来例の問題点を解決するための請求項１記載の発明は、無線通信装置の待ち受け表示方法において、使用者によって登録された表示内容及びその番号を複数記憶し、予め待受状態時に表示する表示内容を前記登録された表示内容の番号により選択しておき、待受状態になると、前記記憶された表示内容の中から待受状態の表示内容として前記番号により予め選択されている表示内容を表示部に表示することを特徴としており、待受時に登録された表示内容を表示できる。
また、請求項２記載の発明は、請求項１記載の無線通信装置の待ち受け表示方法において、上記表示内容と上記番号とを対応付けて記憶部の表示内容テーブルに記憶する登録処理と、待受時に表示する表示内容の番号が選択入力されると、当該表示内容の番号を記憶部の表示番号エリアに格納する選択処理と、上記待受状態になると、前記表示番号エリアに格納されている番号に対応する表示内容を前記表示内容テーブルから読み出して表示部に表示する表示処理とを有することを特徴としており、待受時に登録された表示内容を表示できる。
【０００８】
上記従来例の問題点を解決するための請求項３記載の発明は、無線通信装置において、登録する表示内容及びその番号を入力すると共に複数登録されている表示内容から待受状態時に表示する表示内容を番号により選択する入力部と、入力された表示内容及びその番号を複数記憶する記憶部と、表示内容を表示する表示部と、待受状態になると、前記記憶部の表示内容から待受状態の表示内容として前記入力部で選択された番号によって予め選択されている表示内容を前記表示部に出力する制御部とを有することを特徴としており、待受時に登録された表示内容を表示できる。
【０００９】
上記従来例の問題点を解決するための請求項４記載の発明は、請求項３記載の無線通信装置において、記憶部は、登録された表示内容及びその番号を記憶する表示内容テーブルと、待受時に表示する表示内容の番号を格納する表示番号エリアとを備えるものであり、制御部は、入力部から登録する表示内容とその番号が入力されると、当該表示内容とその番号とを対応付けて前記表示内容テーブルに登録し、前記入力部から待受時に表示する表示内容の番号が選択入力されると、当該表示内容の番号を前記表示番号エリアに格納し、待受状態になると、前記表示番号エリアに格納されている番号に対応する表示内容を前記表示内容テーブルから読み出して表示部に出力することを特徴としており、待受時に登録された表示内容を表示できる。
【００１０】
【発明の実施の形態】
請求項に係る発明について、その実施の形態を図面を参照しながら説明する。本発明に係る無線通信装置における待ち受け表示方法は、使用者によって登録された１つ又は複数の表示内容を記憶し、待ち受け状態になると、記憶している表示内容の中で選択された表示内容を表示部へ表示することによって、使用者の好みに合わせて表示スペースを有効に利用できるものである。
【００１１】
まず、本発明の無線通信装置の構成について、図１を使って説明する。図１は、本発明に係る無線通信装置の構成ブロック図である。本発明の無線通信装置は、制御部１と、メモリ２と、入力部３と、表示部４とから構成されている。
【００１２】
次に、本発明の無線通信装置の各部について具体的に説明する。入力部３は、待受時の表示内容及びその番号の入力と、複数登録されている表示内容から表示する内容の番号（表示番号）を選択する入力とを行うものである。
【００１３】
表示部４は、使用者によって登録され、選択された表示内容を表示するもので、具体的には、制御部１から出力される表示信号に従って、表示内容等を表示するようになっている。
【００１４】
メモリ２は、使用者によって登録された表示内容を記憶する表示内容テーブル２ａと、待受時に表示する表示内容の番号（表示番号）を記憶する表示番号エリア２ｂとを有する記憶部である。
【００１５】
ここで、表示内容テーブル２ａは、図２に示すように、Ｎｏ．と表示内容とで構成され、Ｎｏ．には、表示内容に対応する番号が格納され、表示内容には、使用者によって作成し登録された表示内容が格納されるようになっている。図２は、本発明の無線通信装置のメモリ２内の表示内容テーブル２ａのフォーマット図である。
【００１６】
制御部１は、表示内容の登録を行う登録処理と、表示する表示内容の番号（表示番号）を選択する選択処理と、待受時の表示を行う表示処理とを行うものである。
【００１７】
ここで、登録処理とは、具体的に入力部３から表示内容とその番号（Ｎｏ．）とを入力し、メモリ２の表示内容テーブル２ａに、Ｎｏ．に対応して表示内容を格納する処理である。また、選択処理は、入力部３から待受時に表示する表示内容のＮｏ．を選択入力し、メモリ２の表示番号エリア２ｂに入力した番号を表示番号として格納する処理である。
【００１８】
次に、本発明の無線通信装置の制御部１における待ち受け時の表示処理について図３を使って説明する。図３は、本発明の無線通信装置の制御部１における待ち受け時の表示処理の流れを示すフローチャート図である。本発明の無線通信装置の制御部１における待ち受け時の表示処理は、装置が待ち受け状態になる時に起動され、表示番号エリア２ｂに表示番号が格納されているかどうか判断を行い（１００）、表示番号が有る場合（Ｙｅｓの場合）は、メモリ２の表示番号テーブル２ａを参照し表示番号に対応する表示内容を読み出し（１０２）、表示内容を表示部４へ出力して表示させ（１０４）、待ち受け時の表示処理を終了する。
【００１９】
一方、処理１００において、表示番号が無い場合（Ｎｏの場合）は、通常の待ち受け表示を行い（１０６）、待ち受け時の表示処理を終了する。
【００２０】
次に、本発明の無線通信装置における待ち受け表示例について、図４を使って説明する。図４は、本発明の無線通信装置の表示部４における待受表示例を示す説明図である。本発明の無線通信装置における待ち受け表示は、例えば図４（ａ）に示すように、使用者によって登録された自分の予定を表示したり、図４（ｂ）に示すように、使用者によって登録された簡単な図形を表示することができる。
【００２１】
本発明に係る無線通信装置における待ち受け表示方法によれば、使用者によって登録された表示内容をメモリ２の表示内容テーブル２ａに記憶し、メモリ２の表示番号エリア２ｂに待ち受け中に表示する表示内容の番号である表示番号を記憶して、待ち受け状態になると、表示番号エリア２ｂを参照してメモリ２の表示内容テーブル２ａから表示番号に対応する表示内容を読み出し、表示部４へ表示することによって、表示スペースを有効に利用できる効果がある。
【００２２】
また、表示内容を複数登録し、表示内容を登録した中から選択できるので、使用者の好みや状況に応じて、待受時の表示内容を切り替えることができ、利用形態を拡大できる効果がある。
【００２３】
【発明の効果】
本発明によれば、使用者によって登録された表示内容及びその番号を複数記憶し、予め待受状態時に表示する表示内容を登録された表示内容の番号により選択しておき、待受状態になると、記憶された表示内容の中から待受状態の表示内容として番号により予め選択されている表示内容を表示部に表示する無線通信装置の待ち受け表示方法としているので、待受時に登録された表示内容を表示することにより、表示スペースを使用者の好みに合わせて有効に活用できる効果がある。
また、本発明によれば、上記無線通信装置の待ち受け表示方法において、上記表示内容と上記番号とを対応付けて記憶部の表示内容テーブルに記憶する登録処理と、待受時に表示する表示内容の番号が選択入力されると、当該表示内容の番号を記憶部の表示番号エリアに格納する選択処理と、上記待受状態になると、表示番号エリアに格納されている番号に対応する表示内容を表示内容テーブルから読み出して表示部に表示する表示処理とを有することを特徴としているので、待受時に登録された表示内容を表示することにより、表示スペースを使用者の好みに合わせて有効に活用できる効果がある。
【００２４】
また、本発明によれば、入力部が登録する表示内容及びその番号を入力すると共に複数登録されている表示内容から待受状態時に表示する表示内容を番号により選択し、記憶部が入力された表示内容及びその番号を複数記憶し、表示部が表示内容を表示し、制御部が、待受状態になると、記憶部の表示内容から待受状態の表示内容として入力部で選択された番号によって予め選択されている表示内容を表示部に出力する無線通信装置としているので、待受時に登録された表示内容を表示することにより、表示スペースを使用者の好みに合わせて有効に活用できる効果がある。
【００２５】
また、本発明によれば、上記無線通信装置において、記憶部が、登録された表示内容及びその番号を記憶する表示内容テーブルと、待受時に表示する表示内容の番号を格納する表示番号エリアとを備えるものであり、制御部が、入力部から登録する表示内容とその番号が入力されると、当該表示内容とその番号とを対応付けて表示内容テーブルに登録し、入力部から待受時に表示する表示内容の番号が選択入力されると、当該表示内容の番号を表示番号エリアに格納し、待受状態になると、表示番号エリアに格納されている番号に対応する表示内容を表示内容テーブルから読み出して表示部に出力する無線通信装置としているので、待受時に登録された表示内容を表示することにより、表示スペースを使用者の好みに合わせて有効に活用できる効果がある。
【図面の簡単な説明】
【図１】本発明に係る無線通信装置の構成ブロック図である。
【図２】本発明の無線通信装置の表示内容テーブルのフォーマット図である。
【図３】本発明の無線通信装置の制御部における待ち受け時の表示処理の流れを示すフローチャート図である。
【図４】本発明の無線通信装置の表示部における待受時の表示例を示す説明図である。
【図５】従来の無線通信装置の表示部における待受時の表示例を示す説明図である。
【符号の説明】
１…制御部、  ２…メモリ、  ２ａ…表示内容テーブル、  ２ｂ…表示番号エリア、  ３…入力部、  ４…表示部
【図１】
0003609818.tif 000002
【図２】
0003609818.tif 000003
【図３】
0003609818.tif 000004
【図４】
0003609818.tif 000005
【図５】
0003609818.tif 000006